(57)【要約】【課題】防水スピーカ等の防水電子部品を備えた防水電子機器において、防水電子部品に連なる開口部の開口表面全体が水などの膜で塞がれることを防止する。【解決手段】本体装置に設けられた外気に開放された開口部１３と、この開口部に連なる防水スピーカ等の防水電子部品１０とを備える。開口部１３には、その開口部１３の端縁で囲む開口表面１３ａに近い側の内部空間を複数に区切るリブ１５ｓ、１５ｌが配置される。各リブ１５ｓ、１５ｌは、開口表面１３ａに近い側の端部が前記開口表面１３ａよりも前記開口部１３の内方側に位置している。【選択図】図６
2020053922.tif 000002
【特許請求の範囲】
【請求項１】
本体装置に設けられ、外気に開放された開口部と、
前記開口部に連なる防水電子部品と、を備えた防水電子機器であって、
前記開口部には、前記開口部の端縁で囲む開口表面に近い側の内部空間を複数に区切る区切り部材が配置されており、
前記区切り部材は、前記開口表面に近い側の端部が前記開口表面よりも前記開口部の内方側に位置している
ことを特徴とする防水電子機器。
【請求項２】
前記防水電子部品は防水スピーカであり、
前記開口部の開口表面は前記防水スピーカの音声出力口である
ことを特徴とする請求項１記載の防水電子機器。
【請求項３】
前記開口部は、前記本体装置の底面で外気に開放されている
ことを特徴とする請求項１又は２記載の防水電子機器。
【請求項４】
前記区切り部材は、複数設けられ、且つ前記開口表面に向って延び、
前記複数の区切り部材のうち一部は、前記内方側の所定位置から前記開口表面に向う突出量が、他の区切り部材の前記突出量とは異なる
ことを特徴とする請求項１から請求項３の何れか１項に記載の防水電子機器。
【請求項５】
前記複数の区切り部材は、
隣り合う２つの区切り部材間で、前記突出量が相互に異なる
ことを特徴とする請求項４記載の防水電子機器。
【請求項６】
前記区切り部材は、複数設けられ、
前記複数の区切り部材のうち、隣り合う少なくとも２つの区切り部材間の離隔は、
前記隣り合う２つの区切り部材に跨って水滴が付着しない離隔に設定されている
ことを特徴とする請求項１から請求項３の何れか１項に記載の防水電子機器。
【請求項７】
前記開口部に対応する孔部を有し、前記孔部に前記区切り部材が設けられた取付け部品を備え、
前記取付け部品が前記開口部に取付けられている
ことを特徴とする請求項６記載の防水電子機器。
【請求項８】
請求項１から請求項７の何れか１項に記載の防水電子機器を有するテレビジョン装置であって、
テレビジョン放送を受信する受信部と、
前記受信部で受信したテレビジョン放送に基づく画像を表示する画像表示パネルと、を備えた
ことを特徴とするテレビジョン装置。
【発明の詳細な説明】
【技術分野】
【０００１】
本発明は、防水電子部品を有する防水電子機器、及びこの防水電子機器を備えたテレビジョン装置に関し、特に、防水電子部品が本体装置に設けた開口部を介して外気に開放される構造を持つものの改良に関する。
【背景技術】
【０００２】
従来、防水電子部品が開口部を介して外気に開放された装置として、特許文献１に記載された技術がある。この文献では、トイレ室内に設けられて流水音等の擬音を発生する擬音発生装置を開示している。この擬音発生装置は、電子部品としてスピーカを備え、スピーカの前方に位置する開口部の前部に擬音発生装置の前面板を配置し、この前面板の前記開口部に対向する部位を開口して、この開口に、斜め下方に延びる複数のリブ材を相互に所定間隔離して配置して、それらのリブ材相互間にスリットを形成し、それら複数のリブ材の各前端位置を揃えて前面板の表面を滑らかに連なる形状としながら、スピーカからの擬音を開口部から前面板のスリットを経てトイレ室内に放音する構成としている。
【先行技術文献】
【特許文献】
【０００３】
【特許文献１】特開２０００−１４５９９号公報
【発明の概要】
【発明が解決しようとする課題】
【０００４】
しかしながら、特許文献１の構成では、前面板の開口には複数のリブ材によって複数のスリットが形成されている関係上、その開口にある程度の量の水がスリットを介して入った際などでは、水の表面張力によって前面板の開口周縁と各リブ材の前端部に跨って水滴が拡がり、水滴が各スリットを覆って前面板の開口表面全体を塞ぐ膜が形成されてしまうことがある。この場合には、スピーカからの擬音の出力に水の膜が邪魔して、擬音の音質が変化したり音量が低下して、擬音が所期通り前面板のスリットから出力されない欠点が生じる。
【０００５】
特に、スピーカがテレビジョン装置のメインスピーカ等である場合には、そのスピーカが防水スピーカであれば、水がスピーカに付着しても、スピーカ自体の機能には支障はないものの、開口表面全体を塞ぐ膜によって画像に対応した音声の音質、音量などが変化すると、視聴者の音声聴き取りに大きな支障が生じる結果となる。
【０００６】
本発明は、防水スピーカ等の防水電子部品を備えた防水電子機器において、開口部を複数に区切るリブ材等の区切り部材を開口部内に特殊に配置して、開口部が水等の膜で塞がれないようにすることにある。
【課題を解決するための手段】
【０００７】
前記目的を達成するため、発明にかかる防水電子機器は、本体装置に設けられ、外気に開放された開口部と、前記開口部に連なる防水電子部品と、を備えた防水電子機器であって、前記開口部には、前記開口部の端縁で囲む開口表面に近い側の内部空間を複数に区切る区切り部材が配置されており、前記区切り部材は、前記開口表面に近い側の端部が前記開口表面よりも前記開口部の内方側に位置していることを特徴とする。
【０００８】
前記の構成では、スピーカ等の防水電子部品が連なる開口部には、その開口表面に近い側の内部空間に区切り部材が配置されていて、その内部空間を複数に区切っているものの、その区切り部材の先端部（開口部の開口表面に近い側の端部）が開口表面よりも開口部の内方側に位置している。すなわち、区切り部材の先端部は開口表面と面一（同一平面）にならないように開口部の内方側に位置している。従って、開口部に水が入っても、開口部の開口表面の周縁と区切り部材の前端部との間で水滴が表面張力によって拡がることはなく、開口表面全体が水等の膜で塞がれることが確実に防止される。
【０００９】
本発明では、前記防水電子機器において、前記区切り部材は、複数設けられ、且つ前記開口表面に向って延び、前記複数の区切り部材のうち一部は、前記内方側の所定位置から前記開口表面に向う突出量が、他の区切り部材の前記突出量とは異なる構成とすることができる。
【００１０】
この発明では、隣り合う何れか２つの区切り部材間では、突出量が相互に異なる構成となる。この構成では、その両区切り部材に跨った水滴は突出量の多い区切り部材から落下するので、開口部の開口表面全体が膜で塞がれることがより確実に防止される。
【００１１】
また、本発明では、前記防水電子機器において、複数の区切り部材のうち、隣り合う少なくとも２つの区切り部材間の離隔は、その隣り合う２つの区切り部材に跨って水滴が付着しない離隔に設定される構成とすることができる。
【００１２】
この発明では、隣り合う少なくとも２つの区切り部材間が広い離隔に設定されて、たとえその２つの区切り部材の突出量が同一量であっても、その隣り合う２つの区切り部材に跨って水滴が付着することが防止されるので、開口部の開口表面全体が膜で塞がれることがより一層確実に防止される。
【発明の効果】
【００１３】
本発明によれば、防水電子部品が連なる開口部の開口表面全体が水などの膜で塞がれることを確実に防止できる防水電子機器を提供することができる。
【図面の簡単な説明】
【００１４】
【図１】実施形態１の防水電子機器を備えたテレビジョン装置を正面側から見た斜視図である。
【図２】同テレビジョン装置の前面板を背面側から見た図である。
【図３】同テレビジョン装置の要部の底面図である。
【図４】同テレビジョン装置のスピーカ周りを拡大した斜視図である。
【図５】図４に示したスピーカ周りの縦断側面図である。
【図６】同スピーカ周りの縦断正面図である。
【図７】図５に示したスピーカ周りに水滴が付着する様子を示した図である。
【図８】実施形態２の防水電子機器を備えたテレビジョン装置の開口部周りへの取付け部品の取付けの様子を示す図である。
【図９】図８に示したテレビジョン装置の開口部周りに取付け部品を取付けた状態を示す斜視図である。
【図１０】同テレビジョン装置のスピーカ周りの縦断側面図である。
【発明を実施するための形態】
【００１５】
以下、本発明の実施形態を図面に基づいて説明する。
【００１６】
（実施形態１）
図１は、実施形態１に係る防水電子機器を備えたテレビジョン装置を正面側から見た外観を示す斜視図、図２は同テレビジョン装置の前面板を背面側から見た図、図３は同テレビジョン装置の要部の底面図を示す。尚、以下の説明では、通常使用する状態で配置されたテレビジョン装置について説明するものとし、鉛直方向を上下方向とし、水平方向を左右方向とする。また、テレビジョン装置の画像表示面に向かって見て、手前側を前側とし、前側とは反対側を背面側（後側）とする。
【００１７】
図１、図２及び図３において、テレビジョン装置ＴＶは、左右方向に長い額縁状の前面板１と、テレビジョン装置ＴＶの上下左右の側面を形成する側面板２と、前記側面板２の後方に配置される背面板３とを有する。前面板１と側面板２とはステンレス鋼やアルミニウムの金属等のフレームによって一体形成されている。前記前面板１の周囲の内方側には、左右方向に長い四角形状の画像表示パネル５が配置される。画像表示パネル５は液晶パネル又は有機ＥＬパネル（Organic Electro-Luminescence Panel）などで構成される。
【００１８】
テレビジョン装置ＴＶにおいて、前面板１の背面側の周囲には、図２に示したように、下部領域とその上方の上部領域とを仕切るように補強板１ａが背面側に延びて配置され、その上部領域に前記画像表示パネル５が配置されている。前記下部領域には、テレビジョン放送を受信する受信部７や、この受信部７で受信したテレビジョン放送を信号処理して画像を画像表示パネル５に表示する信号処理用の回路基板８などが取付けられている。
【００１９】
また、前記前面板１の背面側には、下部領域の左側部及び右側部において、各々、左右方向に２個並列配置したメインスピーカ１０が合計４個取り付けられている。これらのメインスピーカ１０は、各々、防水構造を有する。前記防水構造のメインスピーカ（防水電子部品）１０の音声出力口を有する開口部１３は下方に向かって延びている。
【００２０】
前記開口部１３は、図３に示したように、その開口部１３の下端縁により囲まれる左右方向に長い四角形状の開口表面１３ａにおいて下方に向けて外気に開放されている。この開口表面１３ａは、メインスピーカ１０の音声出力口となる。前記開口表面１３ａは、側面板２の底面部（以下、この底面部を底面板２Ｂという）の底面と同一平面を構成している。尚、図３では、テレビジョン装置ＴＶの右下側部周りを示しているが、左下側部周りも同様の構成である。
【００２１】
前記信号処理用の回路基板８は、画像を画像表示パネル５に表示すると同時に、画像に同期した音声をメインスピーカ１０から出力する。各メインスピーカ１０からの音声は、前記開口部１３の開口表面１３ａから下方に向かって放音される。
【００２２】
次に、前記メインスピーカ１０周りの構成の詳細を説明する。図４は、前面板１の背面側において、左側部に配置した２個のメインスピーカ１０周りの構成を示している。この左側部において、前面板１の補強板１ａは左端部から下方に分岐され、更に右側部の端部に向かって左右方向に延びている。この補強板１ａの上方には、メインスピーカ１０を取り付けるための中空の円筒部１１が前面板１の背面側から後方（背面板３側）に延びて形成されている。
【００２３】
前記中空の円筒部１１は、背面板３側の端部が開放され、この開放された端部にメインスピーカ１０が配置されて、メインスピーカ１０と円筒部１１とで囲む内部空間が音響室１２となっている。尚、図４では、右側の円筒部１１にメインスピーカ１０を配置し、左側の円筒部１１にはメインスピーカ１０を配置せず音響室１２を明確にした状態を示している。
【００２４】
メインスピーカ１０は、四隅に、円筒部１１への取り付け用のビス部１０ａが形成されていると共に、円筒部１１にも前記メインスピーカ１０の各ビス部１０ａに対応する部位にボス部１１ｅが形成されており、メインスピーカ１０の各ビス部１０ａを円筒部１１の対応するボス部１１ｅにビス止めして取り付ける構成である。
【００２５】
前記２つの円筒部１１のうち、右側の円筒部１１周りの縦断面図を図５に示す。図５から判るように、前記音響室１２は、中空の開口部１３に連通している。この開口部１３は、図４及び図５から判るように、テレビジョン装置（本体装置）ＴＶにおける前記円筒部１１の前面板１側を下方に延設した前壁部１１ａと、円筒部１１の背面板３側を下方に延設した後壁部１１ｂと、右側の円筒部１１の右下端部から下方に延びる右側壁１１ｃ（図４参照）と、左側の円筒部１１の左下端部から下方に延びる左側壁１１ｄ（図４参照）とにより、四方を囲まれた内部空間を有する。この開口部１３の内部空間は下方に延び、前記４つの前後左右の壁部１１ａ〜１１ｄの下端部で囲む開口表面１３ａにおいて下方に向けて外気に開放されている。
【００２６】
従って、メインスピーカ１０から出力された音声は、音響室１２から開口部１３の内部空間を経て、開口部１３の下端部に位置する開口表面１３ａから下方に出力される。
【００２７】
尚、図５において、背面板３は、前記前面板１及び２つの円筒部１１の後方に配置した中間フレーム２０の後方に配される。前記中間フレーム２０の下部には、Ｌ字状板２５がその上下方向に配置した板部においてビス止め（図示せず）されている。また、図３に示したように、前記開口部１３の開口表面１３ａの後方（背面板３側）には、背面板３を固定取付けするための取付け部品３０が配置される。図５に示したように、背面板３の下端部は、前記取付け部品３０の配置部位に対応する箇所が前方に向かって切り起こされ、この切起し部３ａを前記Ｌ字状板２５における前後方向に配置した板部の下方に位置付けした状態で、前記取付け部品３０が下方から背面板３の切起し部３ａをＬ字状板２５との間に挟んで、ビス３２を用いて前記Ｌ字状板２５おける前後方向に配置した板部にビス止めされて、背面板３の下部を固定する構成としている。尚、図４では、前記背面板３取付け用の取付け部品３０、前記Ｌ字状板２５及び前記中間フレーム２０を外して開口部１３の壁部１１ａ〜１１ｄの配置を明確にしている。
【００２８】
前記取付け部品３０は、図３に示したように、底面板２Ｂに形成した取付け部品３０用の開口２ａに配置され、Ｌ字状板２５にビス３２止めされた状態では、取付け部品３０の底面と底面板２Ｂの底面とは同一平面を構成している。
【００２９】
前記背面板３には、背面側に、壁掛け用又はスタンド配置用の取付け具（図示せず）が取付けられて、テレビジョン装置ＴＶが例えば浴室の所定高さの壁面に壁掛けされたり、浴室の所定の台上に視聴し易いように上部を斜め前方に傾斜した状態で載置される。
【００３０】
図６は、前記左右並んで配置した２つの円筒部１１及び開口部１３周りの正面図を示す。同図では、右側の円筒部１１にメインスピーカ１０をビス止めし、左側の円筒部１１ではメインスピーカ１０を外した状態において、その２つの円筒部１１の後方に位置する後壁部１１ｂを取り除いて、開口部１３の内部空間内の構成を明確にしている。
【００３１】
同図において、開口部１３の内部空間には、長さの異なる２種類のリブ１５ｓ、１５ｌが複数（合計８つ）配置されている。各リブ１５ｓ、１５ｌは、上端が２つの円筒部１１の下側の半円部分の周縁に連結されて、開口部１３の下端部の開口表面１３ａに向かって直線状に延びている。開口部１３の内部空間は、前記開口表面１３ａの近くまで延びる複数のリブ１５ｓ、１５ｌによって左右方向に複数（９つ）に区切られて、開口部１３の開口表面１３ａからの視聴者の指の侵入などを規制している。
【００３２】
前記各リブ１５ｓ、１５ｌの左右方向の配置間隔は、相互にほぼ等間隔である。また、各リブ（区切り部材）１５ｓ、１５ｌは、図５に示したように、前壁部１１ａから後壁部１１ｂにまで延びる板状に形成されている。尚、各リブ１５ｓ、１５ｌは前壁部１１ａと後壁部１１ｂとに跨って延びる必要はなく、一方の壁部から他方の壁部に向かって途中にまで延びる形状でも良い。
【００３３】
前記各リブ１５ｓ、１５ｌの長さは次の通り設定される。開口部１３の内方側の所定位置（図６では、位置ｔ０と記している）から下方（開口表面１３ａに向う方向）に延びる長さ（以下、突出量という）が短尺ｔｓのリブ１５ｓと、長尺ｔｌ（ｔｌ＞ｔｓ）のリブ１５ｌとの２種類が配置される。短尺ｔｓのリブ１５ｓと長尺ｔｌのリブ１５ｌとは交互に配置されている。短尺ｔｓのリブ１５ｓと長尺ｔｌのリブ１５ｌとの突出量の差（ｔｌ−ｔｓ）は、微少長さｔｄである。また、全てのリブ１５ｓ、１５ｌでは、下端位置（開口部１３の開口表面１３ａに近い側の端部の位置）は、何れも、開口部１３の開口表面１３ａから上方（開口部１３の内方側）の位置にあって、長尺ｔｌのリブ１５ｌの下端位置と開口部１３の開口表面１３ａの位置とは、離隔ｔｉが存在している。
【００３４】
前記実施形態では、テレビジョン装置ＴＶが浴室の壁面に壁掛け、又は浴室の所定の台上に斜め前方に傾斜した状態で載置された状態では、４個のメインスピーカ１０の開口部１３の開口表面１３ａが音声出力口として底面板２Ｂに開口して、下方に音声を出力する。この状態は、浴槽内の湯水やシャワーの湯水などが下方から開口表面１３ａを通して開口部１３に浸入し易い状態である。
【００３５】
しかし、開口部１３内に配置した各リブ１５ｓ、１５ｌの下端部は、開口部１３の下端周縁で囲む開口表面１３ａから開口部１３の内方側（上方側）に少なくとも離隔ｔｉだけ離れた部位に位置している。この構成では、開口部１３の下端周縁と各リブ１５ｓ、１５ｌの下端部とは同一平面にないので、たとえ開口部１３内に湯水が浸入しても、開口部１３の開口表面１３ａにおいて水滴が膜となって開口表面１３ａの全体を覆うことが確実に防止される。従って、画像表示パネル５に表示される動画像に対応して出力されるメインスピーカ１０の音声が、開口部１３の開口表面１３ａを覆う水などの膜によって音質、音量などが変化することがなく、視聴者の音声聴き取りは良好に確保されることになる。
【００３６】
尚、本実施形態では、開口部１３の開口表面１３ａを底面板２Ｂに形成したが、本発明はこれに限定されず、前面板１に開口表面を前方に向けて外気に開放したり、側面板２の左側面や右側面に開口部１３の開口表面を水平に又は斜め下方に向けて配置したり、又は背面板３に開口部１３の開口表面を設けても、同様に開口表面が水などの膜で覆われることを確実に防止することが可能である。
【００３７】
また、本実施形態では、開口部１３に配置した８つのリブ１５ｓ、１５ｌは、短尺ｔｓのリブ１５ｓと長尺ｔｌのリブ１５ｌとの突出量が異なる２種類のリブで構成され、その短尺ｔｓのリブ１５ｓと長尺ｔｌのリブ１５ｌとが交互に配置される構成としている。この構成では、隣り合う短尺ｔｓのリブ１５ｓの下端部と長尺ｔｌのリブ１５ｌの下端部との間には微少長さｔｄの突出量の差があり、また左端部に位置する長尺ｔｌのリブ１５ｌの下端部と開口部１３の開口表面１３ａとの間には上下方向の微少長さｔｉの相違があり、更に右端部に位置する短尺ｔｓのリブ１５ｓの下端部と開口部１３の開口表面１３ａとの間には上下方向の微少長さ（ｔｉ＋ｔｄ）の相違がある。このため、図７に示したように、たとえ湯水が開口部１３の開口表面１３ａに浸入しても、水滴Ｗは開口部１３の開口周縁に水平方向に均一に溜まらず、付着した水滴は短尺ｔｓのリブ１５ｓから長尺ｔｌのリブ１５ｌに移動して、それらの長尺ｔｌのリブ１５ｌの下端部から落下することになる。従って、開口部１３の開口表面１３ａの全体が水膜で塞がれることを確実に防止できて、開口部１３の開口表面１３ａからの音声の音質の変化や音量の低下を有効に防止することが可能である。
【００３８】
尚、本実施形態では、開口部１３内に突出量の異なる２種類のリブ１５ｓ、１５ｌを交互に配置する構成を採用したが、本発明はこれに限定されず、例えば交互配置や周期的な配置を採用せず、開口部１３内に２種類のリブ１５ｓ、１５ｌがランダムに混在する状態で配置しても良い。また、突出量の異なるリブ１５ｓ、１５ｌは２種類でなくても３種類以上であっても良いし、各リブ１５ｓ、１５ｌを等間隔に配置する必要もない。
【００３９】
更に、本実施形態では、開口部１３内において、突出量の異なる２種類のリブ１５ｓ、１５ｌを交互に配置、すなわち、隣り合う２つのリブ１５ｓ、１５ｌ相互間では必ず突出量に差（微少長さｔｄ）があるように配置したが、例えば中央部位に位置する２つの隣り合うリブ１５ｓ、１５ｌ間でのみ突出量に差を設け、他のリブとしては突出量の同じリブ１５ｓ（又は１５ｌ）を配置しても良い。すなわち、開口部１３内に配置する全てのリブ１５ｓ、１５ｌのうち、少なくとも一部のリブ１５ｓ（又は１５ｌ）の突出量が他のリブ１５ｌ（又は１５ｓ）の突出量と異なる配置としても良い。この場合にも、その隣り合う２つの突出量の異なるリブ１５ｓ、１５ｌ間において、そのリブ１５ｓ、１５ｌ相互間に跨った水滴を突出量の長いリブ１５ｌ側から落下させることができるので、開口部１３の開口表面１３ａの全体が水などの膜で塞がれることを確実に防止することができる。
【００４０】
尚、本実施形態では、防水電子部品を防水メインスピーカ１０とし、その開口部１３の開口表面１３ａを音声出力口としたが、テレビジョン装置ＴＶに防水サブウーファを備える場合には、このサブウーファの音声出力口周りに本発明を適用しても良い。また、本発明は防水スピーカの音声出力口周り以外にも同様に適用でき、例えばトイレ等に配置される擬音発生装置の擬音出力口周りに適用しても良いのは勿論である。
【００４１】
（実施形態２）
次に、本発明の実施形態２を説明する。前記実施形態では、開口部１３の内部空間の全体に複数のリブ１５ｓ、１５ｌを配置したが、本実施形態では、開口部１３の内部空間のうち、開口部１３の下端部（開口表面１３ａに近い側の空間部）に複数のリブを配置するものである。
【００４２】
図８は本実施形態のテレビジョン装置の下左端部を背面側から見た分解斜視図、図９はその要部の拡大図、図１０は同要部の縦断面図である。
【００４３】
本実施形態では、前記実施形態で説明した図３から判るように、開口部１３の開口表面１３ａの近傍に背面板３固定用の取付け部品３０が位置していることから、この取付け部品３０を利用してリブを配置するものである。
【００４４】
具体的に、図８、図９及び図１０において、背面板３固定用の取付け部品３０は、ビス３２によってＬ字状板２５における前後方向に配置した板部にビス止めされる本体部３０ｍを有する。尚、前記Ｌ字状板２５は、その上下方向に配置した板部が左右方向に配置した２つのビス２５ａによって中間フレーム２０にビス止めされている。前記本体部３０ｍには、開口部１３の開口表面１３ａ側に延設された延設部３０ｅが一体形成されている。延設部３０ｅには、開口部１３の開口表面１３ａの下方において、その開口部１３に対応する左右方向に長い孔部３６が形成されている。
【００４５】
前記取付け部品３０の本体部３０ｍがビス３２によってＬ字状板２５に取付られた状態では、延設部３０ｅの周縁から上方に立上がる起立部３０ａの上端部が開口部１３の前壁部１１ａ、後壁部１１ｂ及び左右の側壁１ｃ、１１ｄの下端部に当接して、取付け部品３０の延設部３０ｅが開口部１３の下端部に取付けられた状態となる。この状態では、開口部１３の内部空間が取付け部品３０の延設部３０ｅの孔部３６の内部空間に連通し、孔部３６が開口部１３と一体となって、孔部３６の下端縁で囲む開口表面３６ａが前記開口部１３の下端部の開口表面となる。この状態では、本体部３０ｍ及び延設部３０ｅの底面は、底面板２Ｂの底面と同一平面を構成している。
【００４６】
そして、前記延設部３０ｅの孔部３６には、４つのリブ（区切り部材）３７が配置されている。この４つのリブ３７は、各々、起立部３０ａの前端部と後端部とを繋ぐ板状に形成されている。尚、開口部１３内には、図１０に示したように、前記実施形態で示したリブ１５ｓ、１５ｌ（図６参照）は本実施形態では配置されない。従って、本実施形態では、４つのリブ３７は、開口部１３の開口表面（孔部３６の開口表面３６ａ）に近い側の内部空間（すなわち、孔部３６の内部空間）のみを複数に区切っている。
【００４７】
前記各リブ３７は、孔部３６を左右方向に等間隔で複数（５つ）に区切っており、この孔部３６に視聴者の指などが侵入しないように規制している。
【００４８】
また、各リブ３７は、図１０から判るように、起立部３０ａの上端部から下方に延び、延設部３０ｅの上面の位置で留まっており、延設部３０ｅの下面（底面）にまで延びていない。すなわち、各リブ３７の下端部（孔部３６の開口表面３６ａに近い側の端部）は、延設部３０ｅの底面から延設部３０ｅの厚さｔｉに相当する微少長さ分だけ開口部１３（孔部３６）の内方側に位置している。
【００４９】
更に、前記孔部３６に設けたリブ３７の数は、前記実施形態１におけるリブ１５ｓ、１５ｌの数（８つ）よりも少ない数（４つ）に設定される。本実施形態では、各リブ３７間の離隔は、互いに等距離であり、且つ隣り合う２つのリブ３７に跨って水滴が付着しない離隔に設定されている。
【００５０】
本実施形態においては、孔部３６に設けた全てのリブ３７は、その下端部の位置が、孔部３６の下端部周縁で囲む開口表面３６ａから微少長さｔｉだけ孔部３６（開口部１３）の内方側に位置している。従って、前記実施形態と同様に、孔部３６の下端部周縁と各リブ３７の下端部とは同一平面にないので、たとえ孔部３６内に湯水が浸入しても、孔部３６の開口表面３６ａ内で水滴が膜となってその開口表面３６ａの全体を覆うことを確実に防止でき、メインスピーカ１０からの音声の音質や音量を所期通り良好に確保することが可能である。
【００５１】
更に、本実施形態では、孔部３６内では、隣り合う２つのリブ３７相互間の離隔が、各々、その２つのリブ３７に跨って水滴が付着しない離隔に設定されている。従って、孔部３６内に湯水が浸入しても、水滴は各リブ３７の下端部から落下するので、孔部３６の開口表面３６ａの全体が膜で塞がれることを確実に防止することができる。
【００５２】
尚、本実施形態では、孔部３６内で複数のリブ３７を相互に等間隔に配置したが、隣り合う２つのリブ３７に跨って水滴が付着しない限り、不等間隔で配置しても良い。また、孔部３６内に設けるリブ３７の数も４つに制限されない。
【００５３】
また、本実施形態では、背面板３固定用の取付け部品３０を利用し、その取付け部品３０の延設部３０ｅに形成した孔部３６に複数のリブ３７を設けて、その孔部３６をメインスピーカ１０の開口部１３と連通するように取付け部品３０を前記開口部１３に取付けた。従って、メインスピーカ１０の開口部１３自体にはリブを配置する必要はなく、開口部１３の構成を簡易にして製造コストの低減化を図ることが可能である。更に、複数のリブ３７を背面板３固定用の取付け部品３０に設けているので、リブ３７を設ける部品を別途新たに用意する必要がなく、構成を簡易にできる。
【００５４】
尚、本実施形態では、リブ３７を設ける部品は、背面板３固定用の取付け部品３０を利用したが、テレビジョン装置ＴＶに元々備えられる他の部品を利用しても良いし、リブ３７を設ける部品を別途新たに作製しても良い。
【００５５】
（実施形態３）
前記実施形態１では、メインスピーカ１０の開口部１３内に、突出量の異なる２種類のリブ１５ｓ、１５ｌを配置したが、本実施形態では、開口部１３内には突出量が同じ複数のリブのみを配置しておき、実施形態２における背面板３固定用の取付け部品３０には、孔部３６に突出量の異なる２種類のリブを前記突出量が同じリブと同数だけ設けて、開口部１３内のリブと孔部３６に設けたリブとを直線状に繋げた構成とし、全体として、孔部３６を含む開口部１３内に突出量の異なる２種類のリブを配置する構成とする。
【００５６】
この構成によっても、実施形態１と同様の作用効果を得ることができる。
【００５７】
本発明は、その精神又は主要な特徴から逸脱することなく、他の種々な形で実施することができる。そのため、上述の実施形態は例示に過ぎず、限定的に解釈してはならない。本発明の特許請求の範囲の均等範囲に属する変形や変更は、全て本発明の範囲内のものである。
【産業上の利用可能性】
【００５８】
本発明は、防水スピーカなどの防水電子機器において、音声出力口などの開口表面から開口部に水が浸入しても、その開口表面が水の膜によって塞がれることを確実に防止できるので、防水スピーカなどの防水電子機器や、この防水電子機器を備えたテレビジョン装置に適用して、有用である。
【符号の説明】
【００５９】
ＴＶ            テレビジョン装置（本体装置）
２Ｂ            底面板
５              画像表示パネル
７              受信部
１０            メインスピーカ（防水電子部品）
１３            開口部
１３ａ          開口表面（音声出力口）
１５ｓ          短尺のリブ（区切り部材）
１５ｌ          長尺のリブ（区切り部材）
３０            取付け部品
３０ｅ          延設部
３６            孔部
３６ａ          開口表面
３７            リブ（区切り部材）
【図１】
2020053922.tif 000003
【図２】
2020053922.tif 000004
【図３】
2020053922.tif 000005
【図４】
2020053922.tif 000006
【図５】
2020053922.tif 000007
【図６】
2020053922.tif 000008
【図７】
2020053922.tif 000009
【図８】
2020053922.tif 000010
【図９】
2020053922.tif 000011
【図１０】
2020053922.tif 000012